(57)【要約】マルチチャンネル並列デジタルビデオ記録システムは、ユーザのお気に入りチャンネルを同時かつ連続的に記録する。記録システムは、ユーザが後で視聴できるよう番組コンテンツを保存する。マルチメディア制御システムは、記録システムに接続されて、視聴に利用可能な保存された番組コンテンツを行列形式で表示してもよい。【選択図】図２
2009528720.tif 000002
【特許請求の範囲】
【請求項１】
複数チャンネル並列式ビデオ記録システムであって、
プロセッサと、
前記プロセッサに接続されるデータ記憶媒体と、１つ又はそれ以上の番組フィードを受信するように構成されるとともに、前記プロセッサに接続される複数のチューナと、
前記プロセッサに接続される通信インターフェースと、を備え、ここにおいて、前記プロセッサは、前記複数のチューナから複数の番組コンテンツデータ信号を受信するように構成され、前記プロセッサは、前記複数の番組コンテンツデータ信号を前記データ記憶媒体に保存するように構成され、更に、前記プロセッサは、前記複数の番組コンテンツデータ信号を前記データ記憶媒体に保存されている最も古い保護されていないデータに上書き保存するように構成される、複数チャンネル並列式ビデオ記録システム。
【請求項２】
前記プロセッサは、リモートサーバからコマーシャル情報を受信するように構成され、更に、前記プロセッサは、前記コマーシャル情報を前記番組コンテンツデータの中のコマーシャルコンテンツを削除、又はタグ付けするために処理するよう構成される、請求項１に記載の複数チャンネル並列式ビデオ記録システム。
【請求項３】
前記複数のチューナは、テレビ放送を受信するよう構成される複数のチューナを備える、請求項１に記載の複数チャンネル並列式ビデオ記録システム。
【請求項４】
前記複数のチューナは、デジタルテレビを受信するよう構成される複数のチューナを備える、請求項１に記載の複数チャンネル並列式ビデオ記録システム。
【請求項５】
前記複数のチューナは、ラジオ放送を受信するよう構成される複数のチューナを備える、請求項１に記載の複数チャンネル並列式ビデオ記録システム。
【請求項６】
前記複数のチューナは、インターネット・テレビを受信するよう構成される複数のチューナを備える、請求項１に記載の複数チャンネル並列式ビデオ記録システム。
【請求項７】
前記複数のチューナは、衛星テレビを受信するよう構成される複数のチューナを備える、請求項１に記載の複数チャンネル並列式ビデオ記録システム。
【請求項８】
前記複数のチューナは、ケーブルテレビを受信するよう構成される複数のチューナを備える、請求項１に記載の複数チャンネル並列式ビデオ記録システム。
【請求項９】
複数の番組チャンネルを記録する方法であって、
複数のチューナーから番組コンテンツデータを受信する工程と、前記番組コンテンツデータを記憶領域に保存するとともに、前記記憶領域が全て使用されているとき前記記憶領域の最も古い番組コンテンツに新しい番組コンテンツデータを上書き保存する工程と、
前記記憶領域に保存されている番組コンテンツに関連する番組情報をダウンロードする工程と、を含み、ここにおいて、前記番組情報は、前記番組コンテンツ中の各種多数の番組の番組開始時間を含み、
更に、前記番組コンテンツ中のコマーシャルの開始及び終了時間を決定する工程と、を含む、複数の番組チャンネルを記録する方法。
【請求項１０】
前記番組コンテンツを、コマーシャルを除外して再生する工程を更に含む、請求項９に記載の方法。
【請求項１１】
前記記憶領域に保存されている番組コンテンツのリストを表示する工程を更に含む、請求項９に記載の方法。
【請求項１２】
前記番組コンテンツと共に保存されているコマーシャルを削除する工程を更に含む、請求項９に記載の方法。
【請求項１３】
前記番組コンテンツ中のコマーシャルの開始及び終了時間を決定する工程は、サーバからコマーシャルの開始及び終了時間をダウンロードする工程を含む、請求項９に記載の方法。
【請求項１４】
前記番組コンテンツ中のコマーシャルの開始及び終了時間を決定する工程は、ユーザ入力を受信する工程を含む、請求項９に記載の方法。
【請求項１５】
前記番組コンテンツ中のコマーシャルの開始及び終了時間を決定する工程は、コマーシャル早送りのユーザ制御からユーザ入力を受信する工程を含む、請求項９に記載の方法。
【発明の詳細な説明】
【技術分野】
【０００１】
本発明は、複数のチャンネルのビデオまたはオーディオ番組を同時に記録するシステムおよび方法に関する。
【背景技術】
【０００２】
ビデオカセットレコーダー、ＤＶＤプレイヤー、ＭＰ３プレイヤー、カセットプレーヤー、ＣＤプレイヤー、ケーブル・衛星・インターネットテレビ用のセットトップボックス（ＳＴＢ）、新しいパーソナルビデオレコーダー（ＰＶＲ）などのマルチメディア機器は、消費者の間で大流行している。合衆国のほとんどどの家庭にも、少なくとも１台はこうした機器がある。
【０００３】
別の一般的な不満として、ユーザは、所望の番組コンテンツを見直しているときに、コマーシャルをもう一度見たいとは思わないことがある。さらに、コマーシャルが流れるときの音量は所望の番組コンテンツの音量よりもずっと大きいことが多く、そのため、ユーザはスピーカーの音量を下げなくてはならない。
【０００４】
別の一般的なユーザの不満として、ユーザは、あらかじめ何を記録するのかを知っておかなければならず、そのため、ユーザは番組スケジュールまたは番組ガイドを参照することが必要となる。現在、ユーザが選択した好みに基づいて番組を記録するＰＶＲがある。しかしながら、こうした番組記録スキームであっても、記録スキームは主題に基づいて記録するため、ＰＶＲ機器があらかじめ特定の興味ある番組の番組スケジュールを知っていなければならない。例えば、ＰＶＲ機器がユーザは戦争映画を見るのが好きであることを検知した場合、ＰＶＲは次回の番組スケジュールで戦争に関するテーマの今後の映画を検索することになる。このスキームが動作するためには、ＰＶＲが今後の番組スケジュールを知っていなければならない。
【０００５】
別の一般的な問題として、特定の関心番組を記録するようＰＶＲの登録をするにはユーザが忙しすぎる場合が多いということがある。加えて、特定の関心番組を記録するようＰＶＲの登録をする方法を理解することがユーザには難しい場合も多い。さらに、ＰＶＲの登録をわずらわしいと考えるユーザもいる。単にＰＶＲの登録が面倒で、ＰＶＲが自分で登録をしてくれればよいと考えるユーザもいる。
【０００６】
別の一般的な不満として、ユーザは昨日または以前に放送された番組をみたいと思う場合がある。ユーザが事前に番組スケジュールを知っていれば、ユーザは関心番組を記録したことだろう。あるいは、ユーザがユーザのＰＶＲの登録ができるほど知識があれば、ユーザはＰＶＲの登録をして関心番組を記録したことだろう。また、ユーザにＰＶＲの登録をする時間があれば、ユーザは関心番組を記録したかもしれない。
【０００７】
通常、このような番組はユーザ好みや習慣で常に視聴するユーザのお気に入りチャンネルで放送される。ユーザは時にランダムなチャンネルを見るかもしれないが（チャンネルサーフィン）、通常のユーザは、普通、ユーザのお気に入りチャンネルの間でチャンネルを切り替え、ユーザが利用可能なそのほかの全てのチャンネルを無視する。ユーザは２００を超えるチャンネルにアクセスすることができるのであるが、ユーザは、習慣や好みで、利用可能なチャンネルのうち１０程度のチャンネルのみを常に見る。例えば、ユーザは最新のニュースにしか興味が無いかもしれず、そのため、ユーザは常に２４時間ニュースチャンネルしか見ない。
【０００８】
別の一般的な不満としては、ＰＶＲの記憶空間が小さすぎることがある。これに関連する不満としては、記憶空間が一杯になるとユーザが所望の関心番組を記録することができないことがある。別の関連する不満としては、ユーザがＰＶＲに記録された番組コンテンツを見る機会がなかったが、その番組を消去するには、ユーザは積極的に番組コンテンツをＰＶＲライブラリで検索して番組を削除しなければならない。ユーザがそのような番組コンテンツを削除しなければ、ユーザはより望ましい番組コンテンツを記録することができない。加えて、通常のＰＶＲは、記憶空間の制限により、興味のあるチャンネルを連続して記録することができない。
【０００９】
別の一般的な不満としては、ユーザが関心番組を見つけにくいために、ユーザがユーザのＰＶＲに保存された番組を見ることが難しいということがある。ユーザのＰＶＲに保存された所望の番組を見るためには、ユーザは、通常、ＰＶＲに利用可能な保存された番組を表すテキストベースのメニューで検索しなければならない。このようなメニューの検索は、ユーザにとってわずらわしく、時間がかかるものである。さらに、ＰＶＲの記憶空間が増加すると、ＰＶＲはますます多くの番組コンテンツを保存できるようになり、そのため、このようなメニューの長さやサイズも大きくなる。メニューが長くなると、ユーザにとっては所望の番組コンテンツを検索して発見することがますます難しくなる。
【００１０】
別の一般的な不満としては、通常、ユーザにはＰＶＲに保存された番組をすべて見る十分な時間がないことがある。ユーザには番組をすべて見る十分な時間がないかもしれないが、それでも、ユーザはそのテーマに精通するために番組コンテンツを十分に知りたいと考えている。もしくは、それでも、ユーザは適切に精神的な価値を得るために番組コンテンツを十分に知りたいと考えている。ＰＶＲに記録された番組コンテンツのタイトルを表示するだけでは、こうしたユーザのニーズを適切に満たすことはできない。
【００１１】
さらに、ユーザに対するマルチメディア機器により実現されるオプションのガイドに用いられるメニューも、わかりにくく不可解である。メニューは過度に単純化され、テキストベースである。カーソルの見た目や動作は初歩的で洗練されておらず、ユーザはメニュー選択肢の非直感的な使用により簡単に混乱させられる。
【００１２】
ケーブルおよび衛星、ならびにインターネットテレビ事業者により提供されるマルチメディア番組スケジュール情報は、時代遅れの表示方式に物理的にとらわれてきた。サービス事業者は、視聴者は新聞などの印刷メディアから発生したテレビ番組スケジュール提示方法を読み取り理解することに慣れているという間違った思い込みを有している。
【００１３】
テレビ番組スケジュール情報は、従来、縦カラム式または表形式で表示されてきた。表形式では、番組スケジュール情報は２次元の表で表示される。縦軸はテレビのチャンネル番号を、横軸は時間枠を表す。各チャンネルのテレビ番組の名称は、表の横方向にリストされる。各番組はその番組が放映される時間枠にリストされる。
【００１４】
縦カラム式では、チャンネルと番組名は、時間見出の下に表示される。縦カラム式表示の例に、ＴＶガイドがある。これは印刷物に用いると効果がある。読み手はカラム全体に目を通して所望の時間枠を見つけ、その時間に始まる番組のチャネルと番組名を全て見ることができるからである。
【００１５】
テレビ番組スケジュールの主たる形式は、グリッド型である。この形式は、テレビ画面上でのテレビ番組スケジュール情報の表示に一般的である。テレビ番組スケジュール情報は、表形式に大変似た形式で表示される。２次元表形式で提示される。縦軸にはチャンネル番号またはＩＤを表示し、横軸には３０分単位で増加する時間を表示する。番組は表には表示されない。番組は四角い色つきのブロックで表現される。このブロックは、番組の開始時間から終了時間まで横方向に延びている。
【００１６】
視聴者はチャンネルリストをスクロールする。または、チャンネルリストは自動的にローテーションする。時間枠以上の情報は表示されず、時間が進むにつれて右方向にシフトするだけである。
【００１７】
このグリッド型の問題として、テレビの解像度、画面のサイズ、見る距離による制限がある。グリッド型では、表示される情報が１、２時間分に制限され、チャンネルリストは７チャンネルほどに制限される。加えて、用途によっては、グリッド内に広告情報を入れようとするものもある。これは、視聴者に対する情報の視覚的負荷につながり、見た目が雑然とする。
【００１８】
ＳＴＢおよびＰＶＲでは、番組編成情報の表示にテレビ画面を用いる。ユーザは、リモートコントロールまたはその他の機器を用いて画面上のカーソルを操作し、番組を選択しなければならない。これは面倒で苛立たしい処理であり、ユーザは、番組編成リストをスクロールする間は番組または映像を視聴することができない。
【発明の開示】
【課題を解決するための手段】
【００１９】
これらおよびその他の問題点は、複数のチャンネルを連続して記録するマルチチャンネル並列デジタルビデオ記録システムにより解決される。この装置は、ユーザがこの装置を設定して関心番組を記録する必要がないよう、複数のチャンネルのビデオまたはオーディオ番組を同時かつ連続的に記録する。加えて、この装置は連続的に記録することができ、またはユーザが連続記録と登録の組み合わせで登録することができるため、ユーザは番組スケジュールを参照してこの装置をいつ登録するかを決める必要がない。
【００２０】
一実施形態において、記録システムは、複数のチャンネルのテレビ番組を同時かつ連続的に記録することができる。一実施形態において、記録システムは、複数のラジオチャンネルを同時かつ連続的に記録するよう構成されてもよい。一実施形態において、記録システムは、ラジオおよびテレビチャンネルの両方を同時かつ連続的に記録することができる。一実施形態において、記録システムは、ビデオ番組よりも多くのラジオ番組を記録することができる。
【００２１】
一実施形態において、記録システムは、ユーザが記録システムの登録をして、複数のチャンネルで異なる時間枠に放送される複数の所望の番組コンテンツを記録することができるよう構成される。一実施形態において、記録システムは、ユーザが記録システムの登録をして、同時に複数のチャンネルで放送される複数の番組コンテンツを記録することができるよう構成される。一実施形態において、記録システムは、ユーザが連続的および周期的な記録設定の組み合わせの登録をすることができるよう構成される。
【００２２】
一実施形態において、記録システムは、ユーザが後で見ることができるように番組コンテンツを記録する記憶媒体を含む。一実施形態において、記録システムは、記録システムが連続的に記録できるように、システムが記憶媒体の終わりに達すると記憶媒体の最初から記録を開始する。一実施形態において、記録システムは、記憶媒体が満杯であるとユーザに警告を出す。一実施形態において、記憶媒体が満杯である警告は、音声である。一実施形態において、記憶媒体が満杯である警告は、視覚的信号である。一実施形態において、記憶媒体が満杯である警告は、音声と視覚的信号の組み合わせである。一実施形態において、記録システムは、記録システムが記憶媒体の全ての利用可能な空き領域を使い切る前に、ユーザが記録された番組コンテンツを選択的に削除できるようにし、これにより記録システムがすでに保存されたコンテンツを上書きすることなく連続的に新たな番組コンテンツを記録することができるようにする。
【００２３】
一実施形態において、ユーザは、遠隔地から通信ネットワークを介して記録システムにアクセスし、すでに保存された番組コンテンツを上書きすることなく追加の番組コンテンツを記録するために記憶媒体内でメモリが開放されるように、記録された番組コンテンツを削除することができる。一実施形態において、記録システムは、通信ネットワークを介して遠隔地のユーザに「ストレージが満杯」である警告を送信する。一実施形態において、記録システムは、ｅメールプロトコルを介して遠隔地のユーザにストレージが満杯である警告を送信する。一実施形態において、記録システムは、テキストメッセージプロトコルを介して遠隔地のユーザにストレージが満杯である警告を送信する。一実施形態において、記録システムは、過去の視聴の好みに基づいて、ユーザが記憶媒体内に保存された特定の番組を見る可能性を予測することができる。一実施形態において、記録システムは、自動的にユーザが見る可能性が低い番組コンテンツを削除することができる。
【００２４】
一実施形態において、記録システムは、同時かつ連続的にユーザのお気に入りチャンネルを記録するよう構成されてもよく、ユーザは番組スケジュールを参照して記録システムの設定方法を決める必要がない。一実施形態において、ユーザは、この装置が、ユーザの視聴の好みと習慣をある期間にわたってモニタして、ユーザが頻繁に見るチャンネルトップ１０を記録することにより、自動的にお気に入りチャンネルリストを構築するように設定してもよい。自動的にお気に入りチャンネルリストを構築することにより、記録システムはＰＶＲ機器の設定が伴うことが多い困難や煩わしさや混乱からユーザを解放する。一実施形態において、ユーザは、主題を選択することにより、記録システムが選択された主題に対応する所定のチャンネルのリストを有するように、お気に入りチャンネルリストを構築することができる。一実施形態において、ユーザは、野球のシーズンなどの季節を選択することにより、お気に入りチャンネルリストを構築することができる。一実施形態において、ユーザは、記録システムが複数のお気に入りチャンネルのリストを有するように設定することができる。
【００２５】
一実施形態において、記録システムは、ユーザが所望の番組コンテンツを記録するよう記録システムを登録したときは、ユーザのお気に入りチャンネルリストの複数のチャンネルを記録しないよう構成される。一実施形態において、記録システムは、連続的に記録されるチャンネルからの番組コンテンツを保存するために割り当てられるメモリ空間が減少するように、ユーザが記録するよう記録システムに登録した番組コンテンツを記録するメモリ空間を記憶媒体内に割り当てるよう構成される。一実施形態において、記録システムは、ユーザが特に記録するよう記録システムに登録した記録された番組コンテンツを削除しない。一実施形態において、記録システムは、ユーザが記録するよう記録システムに登録した番組コンテンツを、ユーザが設定した期間、保存するよう構成される。一実施形態において、記録システムは、ユーザが記録するよう記録システムに登録した番組コンテンツを、記録システムの初期セットアップの際にユーザが設定した、または記録システムの製造時にメーカーによって設定されたデフォルト期間、保存するよう構成される。
【００２６】
一実施形態において、記録システムは、ユーザが後で複数のチャンネルを記録するよう記録システムを登録するときに、記録システムがユーザのお気に入りチャンネルリストから優先順位の高いチャンネルのみを連続的に記録するように、ユーザのお気に入りチャンネルリストの優先順位を付け直すよう構成される。一実施形態において、記録システムは、お気に入りチャンネルリストの設定の際にユーザが指定する優先順位に基づいて、ユーザのお気に入りチャンネルリストの優先順位を付け直す。一実施形態において、記録システムは、ユーザの過去の視聴習慣に基づいて、ユーザのお気に入りチャンネルリストの優先順位を付け直す。一実施形態において、記録システムは、ランダムな選択に基づいて、ユーザのお気に入りチャンネルリストの優先順位を付け直す。一実施形態において、記録システムは、ユーザの過去の視聴習慣とランダムな選択とユーザ指定との組み合わせに基づいて、ユーザのお気に入りチャンネルリストの優先順位を付け直す。一実施形態において、記録システムは、リモートサーバから取得した好みに基づいて、ユーザのお気に入りチャンネルリストの優先順位を付け直す。一実施形態において、記録システムは、リモートサーバがユーザの記録システムの優先順位を付け直すよう記録システムを設定したことについて、例えば現金報酬または商品券などの報酬をユーザに与える。
【００２７】
一実施形態において、ユーザは、遠隔地から通信ネットワークを介して記録システムにアクセスすることによりお気に入りチャンネルリストを変更することができる。一実施形態において、ユーザは複数のお気に入りチャンネルリストのうちリストを設定して、記録システムの複数のユーザ用のリストができるようにする。一実施形態において、ユーザは、記録システムを、ある期間にはあるリストのチャンネルを記録するよう設定し、別の期間に別のリストのチャンネルを記録するよう設定する。
【００２８】
一実施形態において、記録システムは、ユーザがお気に入りチャンネルリストの特定のチャンネルの番組コンテンツを見ているかどうかを検出することができる。一実施形態において、記録システムは、ユーザのお気に入りチャンネルリスト内のあまり見ないチャンネルの代わりに別のチャンネルを、ユーザに提案する。一実施形態において、記録システムは、ユーザの視聴習慣または好みの変化の検出に基づいて、ユーザのお気に入りチャンネルリストからチャンネルを自動的に追加または削除する。一実施形態において、記録システムは、ユーザのお気に入りチャンネルリストへの特定のチャンネルの追加についてユーザに報酬を提供する。このプロセスは、アップセルと呼ばれる。一実施形態において、記録システムは、ユーザが遠隔地の他のユーザまたは個人に番組コンテンツを推薦することができるようにする。一実施形態において、記録システムは、遠隔地で記録システムを使用する他の個人へのチャンネルや番組コンテンツの推薦についてユーザに報酬を提供する。一実施形態において、記録システムは、別の場所で記録システムを使用する他の個人の好みに基づいてユーザのお気に入りチャンネルリストにチャンネルを追加することをユーザに提案する。
【００２９】
一実施形態において、記録システムは、ユーザの過去の視聴習慣および好みをモニタすることに基づいて番組コンテンツをユーザに提案するよう構成される。一実施形態において、記録システムは、ユーザの過去の視聴習慣および好みをモニタすることに基づいて番組コンテンツの優先順位をつける。一実施形態において、記録システムは、まず、優先順位が高い番組コンテンツを削除または上書きするかわりに、優先順位が低い番組コンテンツを削除または上書きする。一実施形態において、記録システムは、フィギュアスケート女子の優先順位をフィギュアスケート男子よりも高くするなどというように、特定の番組コンテンツの異なるセグメントの優先順位をつける。一実施形態において、記録システムは、番組中の優先順位の高いセグメントのみが保存されるように、番組中の優先順位が低いセグメントを自動的に削除または上書きする。
【００３０】
一実施形態において、記録システムは、ユーザがすでに放送された番組を見ることができるように、ユーザのお気に入りチャンネルを同時かつ連続的に記録し、記録された番組をある程度の期間保存するよう構成される。これにより、ユーザは、番組の放送時には知ることがなかった番組を見ることができる。一実施形態において、記録システムは、記録システムがユーザの主お気に入りチャンネルリストを同時かつ連続的に記録するようなデフォルト設定で構成される。
【００３１】
一実施形態において、記録システムは、番組コンテンツから自動的にコマーシャルを除去するよう構成される。一実施形態において、記録システムは、記録された番組コンテンツの音量の変化を検索してコマーシャルを検出することにより、自動的にコマーシャルを除去する。一実施形態において、記録システムは、音量の変化を検出することにより自動的にコマーシャルを検出し、この場合記録システムは記録を停止し、記録システムが音量の増加を検出すると再び記録を開始する。一実施形態において、記録システムは、記録された番組コンテンツの番組配給業者のロゴの有無を検索し、記録されたコンテンツのうち番組配給業者のロゴがないものを全て除去することにより、自動的にコマーシャルを除去する。一実施形態において、記録システムは、番組配給業者のロゴの不在を検出することにより自動的にコマーシャルを検出し、この場合記録システムは記録を停止し、記録システムが番組配給業者のロゴの存在を検出すると再び記録を開始する。
【００３２】
一実施形態において、記録システムは、記録された番組から自動的にコマーシャルを除去するよう構成される。一実施形態において、記録システムは、インターネットなどの通信ネットワークを介してリモートサーバに接続される。一実施形態において、リモートサーバは、利用可能な番組チャンネル全てについてのコマーシャルの開始時間および終了時間に関する情報のデータベースを含む。一実施形態において、記録システムは、この情報を取得し使用して、記録システムに記録され保存された番組から全てのコマーシャルコンテンツを除去するよう構成される。一実施形態において、記録システムは、この情報をリアルタイムでデータベースから取得するよう構成され、これにより、記録システムはコマーシャルが再生されると記録を停止しコマーシャルの再生が終了すると記録を再開することができる。一実施形態において、記録システムは、ユーザが連続的もしくは選択的に見ることができるようコマーシャルを全て表示するためにこの情報を使用するよう構成される。一実施形態において、記録システムは、リモートサーバから気象情報を取り込むよう構成される。一実施形態において、記録システムは、システムがお気に入りチャンネルのかわりのリストを記録するように、取り込んだ気象情報に基づいて厳しい気象状況を検出するよう構成される。一実施形態において、記録システムは、システムがシステムの記録スケジュールを変更するように、取り込んだ気象情報に基づいて厳しい気象状況を検出するよう構成される。
【００３３】
一実施形態において、リモートサーバにあるコマーシャル情報のデータベースは、各種の番組チャンネルを見ている個人によって、コマーシャルが流れるときはいつでもこれらの個人がコマーシャルの開始時間と終了時間を登録することによって、サーバに登録される。一実施形態において、番組チャンネルをモニタする個人は、番組コンテンツに関するタイトル、説明、および開始時間および終了時間のデータ情報を、リモートサーバにある番組編成情報データベースに入力する。一実施形態において、これらの個人は、中央位置に位置する。一実施形態において、これらの個人は個人の家などの遠隔地に位置し、この場合、個人は、インターネットなどの通信ネットワークを介して、リモートサーバに接続される。
【００３４】
一実施形態において、記録システムは、番組編成情報データベースから受信した、例えば番組タイトル、説明、番組開始時間、番組終了時間などの番組編成情報を使用して、記録システムに保存された番組コンテンツを識別するよう構成される。一実施形態において、記録システムは、番組情報を記録システムに保存された番組コンテンツと関連付けて、番組の終わりにジャンプ、番組の始めにジャンプ、コマーシャルのスキップ、番組タイトルの表示、などの機能を有効にするよう構成される。一実施形態において、記録システムは、タイトル、説明、ならびに開始時間および終了時間、ならびに日付データ情報を、マルチメディア制御システムがかかるデータ情報を記録システムに保存された番組コンテンツと関連付けることができるように、マルチメディア制御システムに送信する。一実施形態において、記録システムは、タイトル、説明、ならびに開始時間および終了時間、ならびに日付データ情報を用いて、記録システムに保存された特定の番組コンテンツの開始時点および終了時点を判断するよう構成される。
【００３５】
一実施形態において、記録システムは、記録システムが保存された番組コンテンツの指示された部分にコマーシャルのタグをつけるように、コマーシャルが現在流れていることをユーザが記録システムに通知することができるよう構成される。一実施形態において、記録システムは、ユーザが番組の一部を早送りし、この部分をコマーシャルとしてマークすることができるよう構成される「コマーシャルの早送り」ボタンを含むマルチメディア制御システムに接続される。一実施形態において、ユーザは、コマーシャルが始まると「コマーシャルの早送り」ボタンを押したままにし、コマーシャルが終わるとボタンを離す。一実施形態において、記録システムは、記録システムが番組コンテンツの部分にコマーシャルのタグをつけるように、システムが番組コンテンツを記録している間にユーザが「コマーシャルの早送り」ボタンを選択できるよう構成される。一実施形態において、記録システムは、ユーザが同時にリアルタイムで見ている特定の番組コンテンツをシステムが記録している間にユーザが「コマーシャルの早送り」ボタンを押す間、記録を停止するよう構成される。一実施形態において、記録システムは、コマーシャルとしてマークされた番組コンテンツの部分を自動的に削除するよう構成される。
【００３６】
一実施形態において、記録システムは、このコマーシャルタグ情報を、コマーシャル情報データベースに保存するために、通信ネットワークを介してリモートサーバに送信するよう構成される。一実施形態において、リモートサーバは、複数のユーザからの複数のコマーシャルタグ情報を、通信ネットワークを介して受信するよう構成される。一実施形態において、リモートサーバは、異常が排除されるように、複数のユーザから受信したコマーシャルタグ情報を平均するよう構成される。一実施形態において、リモートサーバは、複数のユーザから受信したコマーシャルタグ情報のうち他のユーザから受信した他の情報に似ていないものを削除するよう構成される。一実施形態において、リモートサーバは、アルゴリズムを複数のユーザから受信したコマーシャルタグ情報に適用し、コマーシャルの開始および終了タイミング情報を判断するよう構成される。
【００３７】
一実施形態において、リモートサーバは、アップセル情報用のデータベースも含む。一実施形態において、記録システムは、定期的にリモートサーバに接続してアップセル情報を取り込むよう構成される。一実施形態において、リモートサーバは、記録システムにアップセル情報を自動的に送信する。一実施形態において、記録システムは、ユーザがアップセルを受け付けた場合には、アップセルデータベースに保存するためにリモートサーバに情報を送り返す。
【００３８】
一実施形態において、記録システムは、ウォッチリストを保存するよう構成される。一実施形態において、ユーザは、所望の番組コンテンツのタイトルを入力する。一実施形態において、記録システムは、特定の番組コンテンツを記憶媒体から削除する前にウォッチリストを比較するよう構成される。一実施形態において、記録システムは、特定の番組コンテンツを、その番組のタイトルがウォッチリストにあれば、保存するよう構成される。一実施形態において、記録システムは、特定の番組コンテンツを、その番組のタイトルがウォッチリストになければ、削除または上書きするよう構成される。
【００３９】
一実施形態において、記録システムは、ユーザが長期間にわたってシステムを起動していないことを検出することができる。一実施形態において、記録システムは、ユーザが長期間にわたって記録システムを起動していないことをシステムが検出したとき、番組コンテンツを代替記憶媒体に保存する。一実施形態において、記録システムは、ユーザが長期間にわたってシステムを起動していないことを記録システムが検出したとき、削除または上書きされようとする番組コンテンツをＤＶＤディスクに保存する。
【００４０】
一実施形態において、記録システムは、ユーザが、例えば１週間などの期間に記録された番組コンテンツを見ていないことを検出することができる。一実施形態において、記録システムは、ユーザが例えば１週間などの期間に番組コンテンツを見ていないことを記録システムが検出したとき、記録された番組コンテンツを自動的に削除する。
【００４１】
一実施形態において、記録システムは、記憶媒体内に重複して番組が保存されているか否かを検出する。一実施形態において、記録システムは、記憶媒体内に番組コンテンツのコピーが１つ残るように、重複した番組コンテンツを削除または上書きする。
【００４２】
一実施形態において、記録システムは、複数の解像度レベルで番組コンテンツを記録するよう構成される。一実施形態において、記録システムは、記録システムがユーザのお気に入りチャンネルリストを連続的に記録しているとき、低解像度で番組コンテンツを記録するよう構成される。一実施形態において、記録システムは、記録システムがユーザが特に記録するよう記録システムに登録した番組コンテンツを記録しているとき、高解像度で番組コンテンツを記録するよう構成される。一実施形態において、記録システムは、複数の圧縮アルゴリズムレベルを用いて番組コンテンツを記録するよう構成される。一実施形態において、記録システムは、記録システムがユーザのお気に入りチャンネルリストを連続的に記録しているとき、高圧縮のアルゴリズムを用いて番組コンテンツを記録するよう構成される。一実施形態において、記録システムは、ユーザが特に記録するよう記録システムに登録した番組コンテンツを記録しているとき、低圧縮のアルゴリズムを用いて番組コンテンツを記録するよう構成される。
【００４３】
一実施形態において、記録システムは、無線周波数インターフェースを介してマルチメディア制御システムに接続する。一実施形態において、記録システムは、直接配線インターフェースを介してマルチメディア制御システムに接続する。一実施形態において、記録システムは、赤外線接続を介してマルチメディア制御システムに接続する。一実施形態において、記録システムは、上記のインターフェースの組み合わせを介してマルチメディア制御システムに接続する。
【００４４】
一実施形態において、マルチメディア制御システムは、プロセッサと、タッチスクリーンディスプレイと、少なくとも１つ通信チャンネルを介してタイトルおよび説明情報を受信する通信インターフェースと、記録システムに接続する１つ以上のインターフェースとを含む。一実施形態において、マルチメディア制御システムは、記録システムに接続する赤外線インターフェースを含む。一実施形態において、マルチメディア制御システムは、記録システムに接続する無線周波数インターフェースを含む。一実施形態において、マルチメディア制御システムは、直接配線インターフェースを含む。
【００４５】
一実施形態において、通信チャンネルは、コンピュータネットワークを含む。一実施形態において、通信チャンネルは、インターネット接続を含む。一実施形態において、通信チャンネルは、無線ネットワークチャンネルを含む。一実施形態において、通信インターフェースは、衛星ラジオ受信機を含む。一実施形態において、通信インターフェースは、ローカルエリアネットワークインターフェースを含む。一実施形態において、通信インターフェースは、無線ローカルエリアネットワークインターフェースを含む。
【００４６】
一実施形態において、マルチメディア制御システムは、記録システムに保存された番組コンテンツに関する情報を受信し、保存された番組コンテンツ情報をタッチスクリーンディスプレイに提示する。一実施形態において、保存された番組コンテンツ情報は、単一の制御画面に比較的多数の番組を表示することができるように、行列形式で表示される。一実施形態において、行列形式は、記録システムに保存された番組コンテンツに対応する一連のグラフィカルユーザインターフェースボタンを含む。一実施形態において、各ボタンは、対応する保存された番組コンテンツのタイトル、説明、開始時間および終了時間、記録日時、ならびに期間情報を表示する。一実施形態において、各ボタンは、対応する保存された番組コンテンツのフレームを表示する。一実施形態において、各ボタンは、対応する保存された番組コンテンツのビデオセグメントを表示する。一実施形態において、一連のボタンのあるものはタイトルおよび説明情報を表示し、別のボタンはビデオフレームを表示し、さらに別のボタンはビデオセグメントを表示する。
【００４７】
一実施形態において、マルチメディア制御システムプロセッサは、通信インターフェースを介して記録システムに保存された特定の番組に関するタイトル、説明、開始時間および終了時間、ならびに日付データ情報を受信し、この情報を上記のようにタッチスクリーンディスプレイに表示する。一実施形態において、マルチメディア制御システムプロセッサは、記録システムに保存された特定の番組に関するタイトル、説明、開始時間および終了時間、ならびに日付データ情報を記録システムから受信し、この情報を上記のようにタッチスクリーンディスプレイに表示する。一実施形態において、マルチメディア制御システムプロセッサは、記録システムに保存された特定の番組に関するタイトル、説明、開始時間および終了時間データ情報をリモートサーバから受信し、この情報を上記のようにタッチスクリーンディスプレイに表示する。一実施形態において、マルチメディア制御システムプロセッサは、タイトル、説明、開始時間および終了時間、ならびに日付データ情報を用いて、記録システムから取り込むべき必要な番組コンテンツデータ情報を判断するよう構成される。
【００４８】
一実施形態において、ユーザは、保存された関心番組コンテンツに対応するボタンに２度タッチすることにより、保存された番組を選択して視聴する。一実施形態において、ユーザは、保存された番組に対応するボタンにタッチし、次に同じくマルチメディア制御システムに配された削除ボタンにタッチすることにより、保存された番組を削除する。一実施形態において、ユーザは、ユーザのお気に入りチャンネルリストの全チャンネルから記録された保存された番組コンテンツを、タッチ画面ディスプレイ内の行列形式内で同時に再生する。一実施形態において、ユーザは、ユーザのお気に入りチャンネルリストの全チャンネルから記録された保存された番組コンテンツを、ユーザのテレビディスプレイの行列形式内で同時に再生する。一実施形態において、ユーザは、関心番組に対応するボタンに１度タッチすることにより、再生中の番組の１つの音声を有効化する。
【００４９】
一実施形態において、ユーザは、所望の番組に対応するボタンにタッチし、次に同じくマルチメディア制御システムに配されたハイライトボタンにタッチすることにより、ハイライトと呼ばれる保存された番組の短縮版を見る。一実施形態において、ハイライトボタンの選択により、ユーザに保存された番組の大ボリュームセグメントのいくつかを見せる。一実施形態において、ハイライトボタンの選択により、ユーザに保存された番組の最初、中間、または終わりの数秒を見せる。一実施形態において、ハイライトは、記録システムが保存された番組のセグメントのどの部分を再生するかを決定するときに生成される。一実施形態において、ハイライトは、マルチメディア制御システムが保存された番組のセグメントのどの部分を再生するかを決定するときに生成される。
【００５０】
一実施形態において、マルチメディア制御システムプロセッサは、タッチスクリーンディスプレイからのユーザ入力に応答して、１つ以上のマルチメディア機器を制御する。一実施形態において、マルチメディア制御システムプロセッサは、上記のように、マルチチャンネル並列デジタルビデオ記録システムを制御する。一実施形態において、マルチメディア制御システムプロセッサは、上記のように、行列形式内に表示された保存された番組のユーザ選択に応答してダイアローグ型ディスプレイを提示する。一実施形態において、マルチメディア制御システムプロセッサは、タッチスクリーンディスプレイを更新して、マルチチャンネル並列デジタルビデオ記録システムに現在保存されているコンテンツを示す。
【００５１】
一実施形態において、マルチメディア制御システムは、メールボックスボタンを表示するよう構成される。一実施形態において、ユーザは、メールボックスボタンを選択して、利用可能なメールボックスを表示する。一実施形態において、マルチメディア制御システムは、メールボックスをパスワードで保護するよう構成される。一実施形態において、ユーザは、メールボックスを選択して、そのメールボックスに保存されている番組を見る。一実施形態において、ユーザは、メールボックスを選択して、他のユーザまたは遠隔地の個人からの推薦メッセージを見る。一実施形態において、ユーザは、メールボックスを選択して、アップセルメッセージを見る。
【００５２】
一実施形態において、記録システムは、システムを制御するプロセッサを含む。一実施形態において、記録システムは、番組コンテンツおよびその他のソフトウェアを保存する複数のハードドライブを含む。一実施形態において、記録システムは、複数のテレビおよび／またはラジオチューナを含む。一実施形態において、記録システムは、複数のアナログおよびデジタルチューナを含む。一実施形態において、複数のチューナは、デジタル番組信号を受信し復号化するセットトップボックスを含む。一実施形態において、記録システムは、複数のマルチチャンネルのケーブル／衛星／インターネットテレビデコーダおよび／またはアナログチューナを含む。一実施形態において、インターネットプロトコルスタックを介してラジオおよびテレビフィードが提供される。一実施形態において、記録システムは、複数のダイナミックフラッシュメモリを含む。一実施形態において、記録システムは、フラッシュメモリに番組コンテンツを保存する。一実施形態において、記録システムは、ハードドライブに番組コンテンツを保存する。一実施形態において、記録システムは、フラッシュメモリおよびハードドライブの両方に番組コンテンツを保存する。一実施形態において、記録システムは、ＤＶＤリーダ／ライタドライブを含む。
【００５３】
一実施形態において、記録システムは、複数のオーディオおよびビデオ出力インターフェースを含む。一実施形態において、記録システムは、通信ネットワークまたはローカルエリアネットワークへ接続する無線周波数インターフェースを含む。一実施形態において、記録システムは、ローカルエリアネットワークへ接続するローカルエリアネットワークインターフェースを含む。一実施形態において、記録システムは、複数のリモートコントロール機器へ接続する赤外線インターフェースを含む。一実施形態において、記録システムは、情報をユーザに提示する出力ディスプレイを含む。一実施形態において、記録システムは、ユーザが記録システムを制御するための複数の入力コントロールを含む。一実施形態において、記録システムは、携帯メディアストレージ機器または携帯メディア視聴機器に接続する複数のインターフェースを含む。
【００５４】
図１Ａは、娯楽システム１０６と接続して用いられるマルチチャンネル並列デジタルビデオ記録システム１０１を示す。娯楽システム１０６は、通常、テレビ１１０、オーディオスピーカー１１１、例えばセットトップボックス（ＳＴＢ）１０２などの１つ以上のマルチメディア機器、アナログテープレコーダ１０３、ＤＶＤプレイヤー１０４、ＡＶ受信機１０５、などを含む。記録システム１０１は、テレビ１１０に表示されるまたはオーディオスピーカー１１１で再生される番組コンテンツの保存に用いられる。ユーザは、制御システム１０７を用いて、リモートコントロール型の機能を実行する（例えば、音量制御、チャンネル制御、入力機器選択、早送り、巻き戻し、スローモーション、など）。一実施形態において、制御システム１０７は、記録システム１０１の記憶媒体に保存された番組コンテンツに関する情報を提供するタッチスクリーンディスプレイを備える。一実施形態において、制御システム１０７は、プログラム可能なタッチスクリーンボタンを備え、ユーザが娯楽システムの制御ができるようにする。一実施形態において、制御システム１０７は、ユニバーサルリモートコントロールの機能および通常はオンスクリーンプログラムにより備えられる機能を備える。
【００５５】
一実施形態において、記録システム１０１は、テレビ１１０に表示される「オンスクリーン」プログラム画面でプログラムされるよう構成される。記録システム１０１は、マルチメディア制御システム１０７上のタッチスクリーンプログラム画面でプログラムされるよう構成されてもよい。一実施形態において、記録システム１０１は、記録システム１０１を直接または通信ネットワークを介して接続する任意のパソコンまたはビデオゲームシステムまたはその他のコンピュータシステム１１２上でプログラムされるよう構成される。記録システム１０１は、「オンスクリーン」プログラム画面、タッチスクリーンプログラム画面、またはコンピュータシステムの組み合わせでプログラムされるよう構成されてもよい。
【００５６】
一実施形態において、マルチメディア制御システム１０７は、無線周波数通信を用いて記録システム１０１と通信することができる。マルチメディア制御システム１０７は、任意で、赤外線、超音波、無線周波数通信、その他を介して、記録システム１０１と無線で通信することができる。一実施形態において、マルチメディア制御システム１０７は、任意で、ワイヤまたは同軸ケーブルを介して記録システム１０１と通信することができる。一実施形態において、マルチメディア制御システム１０７は、上記通信インターフェースの組み合わせを用いて記録システム１０１と通信する。マルチメディア制御システム１０７と記録システム１０１との間で無線周波数通信を用いるということは、ユーザは、赤外線機器によくあるようにマルチメディア制御システム１０７を記録システム１０１に「向ける」必要が無いということである。
【００５７】
図１Ｂは、マルチチャンネル並列デジタルビデオ記録システム１０１の一実施形態を示す図である。一実施形態において、記録システム１０１は、システムがオンであるかまたはオフであるか、システムがユーザが選択した番組コンテンツを再生しているかどうかなど、ユーザに対する情報の表示に用いられるディスプレイ出力１２０を含む。記録システム１０１は、ＤＶＤディスクの再生と保存された番組コンテンツのＤＶＤディスクへの記録に用いられるＤＶＤリーダ／ライタドライブ１２１を含んでもよい。一実施形態において、記録システム１０１は、システムをオン／オフするための電源ボタン１２２を含む。記録システム１０１は、任意で、記録システム１０１を、ＵＳＢフラッシュメモリスティックなどの携帯型ストレージメディア機器、またはＭＰ３プレイヤーなどの携帯型視聴機器へ接続するための入力インターフェースおよび出力インターフェースを含む。一実施形態において、記録システム１０１は、ユーザがディスプレイ出力１２０に提示される様々なオプションを選択できるようにするために用いられる多目的ダイヤルボタン１２４を含む。一実施形態において、記録システム１０１は、ユーザがセットアップメニューの選択などの様々な選択を行うことができるようにする一連の多目的フロントパネルボタン１２５を含む。
【００５８】
図２は、マルチチャンネル並列デジタルビデオ記録システム１０１のブロック図である。記録システム１０１は、制御モジュール２０４とスクリーンディスプレイ１２０とを含む。ディスプレイスクリーン１２０は、制御モジュール２０４の一部であるディスプレイドライバ２２２に接続してこれに制御される。ディスプレイドライバ２２２は、プロセッサ２０５に接続される。また、多目的フロントパネルボタンインターフェース２００と、任意の通信インターフェース２０７と、ネットワークインターフェース２０８と、無線周波数インターフェース２０９と、携帯型ストレージメディアインターフェース２１０と、任意の有線リモートインターフェース２１１とが、プロセッサ２０５に接続される。複数のハードドライブや不揮発性フラッシュメモリなどの不揮発性記憶媒体も、プロセッサ２０５に接続される。また、複数のチューナ２１３と、任意のフラッシュメモリ２１５と、任意のＤＶＤリーダ／ライタと、オーディオ出力インターフェース２１７と、ビデオ出力インターフェース２１８とが、プロセッサ２０５に接続される。ネットワークインターフェース２０８は、無線ＬＡＮインターフェースとして構成されてもよい。一実施形態において、複数のチューナ２１３は、アナログチューナおよび／またはマルチチャンネルケーブル／衛星／インターネットテレビデコーダを含む。
【００５９】
プロセッサ２０５で処理されるオペレーティングシステムは、記録システム１０１の動作を制御する。オペレーティングシステムは、多目的フロントパネルボタンインターフェース２００を制御し、多目的フロントパネルボタン１２５を介して受信された入力された情報を処理する。オペレーティングシステムは、また、ディスプレイドライバ２２２を介してディスプレイスクリーン１２０に表示された情報を制御する。
【００６０】
複数のチューナ２１３は、番組フィード２１９をケーブル／衛星／インターネットテレビネットワークなどから受信する。複数のチューナ２１３は、番組コンテンツを保存可能なデータとしてプロセッサ２０５に提供する。複数のチューナ２１３は、記録システム１０１が複数のチャンネルの番組を平行して記録できるようにする。一実施形態において、プロセッサ２０５は、記憶媒体２１２内に番組コンテンツを保存する。一実施形態において、記憶媒体２１２は、複数のハードドライブである。一実施形態において、プロセッサ２０５は、フラッシュメモリ２１５に番組コンテンツを保存する。
【００６１】
テレビディスプレイは、出力インターフェース２１７および２１８に接続されてもよい。プロセッサ２０５は、記憶媒体２１２から番組コンテンツデータを取り込み、そのデータをテレビ準拠の信号に変換する。
【００６２】
一実施形態において、プロセッサ２０５は、無線周波数インターフェース２０９を介してマルチメディア制御システム１０７から情報を送受信する。プロセッサ２０５は、また、ネットワークインターフェース２０８を介してマルチメディア制御システム１０７から情報を送受信してもよい。一実施形態において、プロセッサ２０５は、有線リモートインターフェース２１１を介してマルチメディア制御システム１０７から情報を送受信してもよい。一実施形態において、プロセッサ２０５は、例えば赤外線インターフェース２０７などの無線インターフェースを介してマルチメディア制御システム１０７から情報を送受信する。
【００６３】
一実施形態において、プロセッサ２０５は、図９に示すように、ネットワークインターフェース２０８を介してリモートサーバから情報を送受信する。プロセッサ２０５は、図９に示すように、リモートサーバへ情報を送信してもよい。
【００６４】
プロセッサ２０５は、記憶媒体２１２から番組コンテンツデータを取り込み、このデータをＤＶＤディスクメディアにデータを保存するＤＶＤリーダ／ライタドライブ１２１へ送信する。プロセッサ２０５は、記憶媒体２１２から番組コンテンツデータを取り込み、このデータをＤＶＤフォーマットに変換する。一実施形態において、プロセッサ２０５は、変換したデータをＤＶＤディスクメディアにデータを保存するＤＶＤリーダ／ライタドライブ１２１へ送信する。
【００６５】
一実施形態において、プロセッサ２０５は、携帯型メディアインターフェース２１０を介して、例えばＭＰ３プレイヤーまたはＵＳＢメモリスティックなどの携帯型メディアからデータを送受信する。一実施形態において、プロセッサ２０５は、記憶媒体２１２から番組コンテンツデータを取り込み、このデータを携帯型メディアインターフェース２１０を介してＵＳＢメモリスティックに送信する。一実施形態において、ユーザは、ＵＳＢメモリスティックを番組コンテンツを視聴するための別の機器に接続する。
【００６６】
一実施形態において、記録システム１０１は、複数の解像度レベルで番組コンテンツを記録するよう構成される。一実施形態において、プロセッサ２０５は、記録システム１０１がユーザのお気に入りチャンネルリストを連続的に記録しているとき、低解像度で番組コンテンツを記録するよう構成される。一実施形態において、プロセッサ２０５は、記録システム１０１がユーザが特に記録するよう記録システム１０１に登録した番組コンテンツを記録しているとき、高解像度で番組コンテンツを記録するよう構成される。一実施形態において、プロセッサ２０５は、記憶媒体２１２に保存された複数の圧縮アルゴリズムレベルを用いて番組コンテンツを記録するよう構成される。一実施形態において、プロセッサ２０５は、記録システム１０１がユーザのお気に入りチャンネルリストを連続的に記録しているとき、高圧縮のアルゴリズムを用いて番組コンテンツを記録するよう構成される。一実施形態において、プロセッサ２０５は、記録システム１０１がユーザが特に記録するよう記録システム１０１に登録した番組コンテンツを記録しているとき、低圧縮のアルゴリズムを用いて番組コンテンツを記録するよう構成される。
【００６７】
図３Ａは、記憶媒体２１２の一実施形態を示すブロック図であり、記録システムはシステムが記憶媒体の終わりまでくると記憶媒体の初めから記録を開始する。一実施形態において、メモリブロック３０１は、第１期間において番組フィード２１９から記録された番組コンテンツを含み、メモリブロック３０２、３０３などは、第２、第３期間などにおいて番組フィード２１９から記録された番組コンテンツを含む。プロセッサ２０５は、最後のメモリブロック３０４が一杯になるまで記憶媒体２１２への番組コンテンツの保存を続け、このときプロセッサ２０５は記憶媒体２１２の最初に戻って以前に記録されたメモリブロック３０１に上書き記録する。
【００６８】
図３Ｂは、記憶媒体２１２の一実施形態を示すブロック図であり、プロセッサ２０５は、最初のメモリブロック３２４を上書き記録するかわりに、削除された番組コンテンツ３２０を上書き記録する。一実施形態において、ユーザは、メモリブロック３２０に保存された番組コンテンツを選択的に削除する。これにより、ユーザは番組コンテンツを保存することができ、また、プロセッサ２０５は連続的に追加の番組コンテンツを記録することができる。一実施形態において、番組コンテンツはメモリブロック３２２から削除されず、メモリブロックが削除対象としてマークされ、これにより、プロセッサ２０５はメモリブロック３２２に含まれたコンテンツを上書き記録することができる。
【００６９】
一実施形態において、プロセッサ２０５はユーザが視聴するために選択した番組コンテンツの実行中のリストを記憶媒体２１２内に記録する。一実施形態において、プロセッサ２０５は、ユーザが過去に視聴した番組コンテンツの実行中のリストにある番組コンテンツをカテゴリー化する。一実施形態において、プロセッサ２０５は、ユーザが最もよく視聴する番組のカテゴリーリストを生成して保存する。一実施形態において、プロセッサ２０５は、ユーザが最もよく視聴する番組のカテゴリーリストと記憶媒体２１２に保存された特定の番組のカテゴリーを比較する。一実施形態において、プロセッサ２０５は、記憶媒体２１２に保存された特定の番組コンテンツのカテゴリーがユーザが最もよく視聴する番組のカテゴリーリストにあるカテゴリーのひとつに一致しないとき、その特定の番組を削除するまたはこれにタグをつける。一実施形態において、プロセッサ２０５は、図９に示すように、リモートサーバに置かれたタイトルおよび説明データベースから特定の番組のカテゴリー情報を取り込む。一実施形態において、プロセッサ２０５は、番組の一部のカテゴリーがユーザが最もよく視聴する番組のカテゴリーリストのカテゴリーに一致しない場合に、その番組の部分を削除する。一実施形態において、プロセッサ２０５は、ユーザが最もよく視聴する番組のカテゴリーリストに基づいて、記憶媒体２１２に保存された番組コンテンツの削除の優先順位をつける。
【００７０】
図４は、タッチスクリーン４０１にディスプレイページ４００を含むマルチメディア制御システム１０７の一実施形態を示す図である。一実施形態において、ディスプレイページ４００は保存された番組コンテンツのリストを示し、マルチメディア制御システム１０７が記録システム１０１から保存された番組コンテンツ情報を受信する。一実施形態において、ディスプレイページ４００は、記憶媒体２１２に保存された異なる番組コンテンツに対応する行列４０２状のグラフィカルユーザインターフェースボタンを含む。グラフィカルユーザインターフェースボタンは、タッチスクリーン４０１上の領域に対応する。図４に示す図では、ボタン４０３は、記憶媒体２１２に保存された特定の番組コンテンツに対応する。一実施形態において、ボタン４０３は、この番組コンテンツに対応するタイトルおよび説明情報を表示する。一実施形態において、この情報は記録システム１０１から取り込まれる。一実施形態において、マルチメディア制御システム１０７は、図９に示すように、リモートサーバからこの情報を取り込む。一実施形態において、記憶媒体２１２に保存された別の番組に対応するボタン４０４は、ビデオ番組から１つのビデオフレームを表示する。一実施形態において、マルチメディア制御システム１０７は、記録システム１０１からこのビデオフレームに対応する情報を取り込む。
【００７１】
一実施形態において、行列４０２は、ユーザが視聴して後でもう一度見たい番組コンテンツをマークすることができるように、記録されて利用可能な番組コンテンツを全て表示する。一実施形態において、ユーザがボタン４０３および４０５にタッチし、その後ボタン４１２にタッチすると、選択された番組コンテンツを後で視聴するためにセーブする。一実施形態において、記録システム１０１は、ユーザがセーブし上書きから保護するよう番組コンテンツを選択するとき、番組コンテンツを上書き記録しない。一実施形態において、記録システム１０１は、ユーザがセーブするよう選択した番組コンテンツをセーブする期間をユーザが指定することができるよう構成され、この期間が過ぎると、記録システムはセーブされ保護された番組コンテンツを上書き記録する。一実施形態において、記録システム１０１は、選択された番組コンテンツをユーザが永久保存または無期限にセーブすることができるようにするよう構成される。一実施形態において、記録システム１０１は、ユーザが例えばメモリスティックまたはＤＶＤディスクなどの携帯型記憶媒体に選択された番組コンテンツを保存できるようにするよう構成される。一実施形態において、記録システム１０１は、記録システム１０１の初期設定の際にユーザが設定した期間の後、セーブされ保護された番組コンテンツを上書き記録するよう構成される。一実施形態において、記録システム１０１は、メーカーが設定したデフォルト期間の後、セーブされ保護された番組コンテンツを上書き記録するよう構成される。
【００７２】
一実施形態において、記憶媒体２１２内に保存されたさらに別の番組に対応するボタン４０５は、保存された番組に対応するビデオセグメントを表示する。一実施形態において、行列４０２のボタン４０３、４０４、４０５などは、その対応するビデオコンテンツを同時に再生する。一実施形態において、ユーザは、ボタン４０３に１度タッチし、このボタン４０３は、マルチメディア制御システム１０７に記録システム１０１へボタン４０３に対応するオーディオコンテンツを再生する信号を送信させる。一実施形態において、ユーザは、ボタン４０４を選択して、テレビ１１０上のディスプレイスクリーン４００を見る。一実施形態において、ユーザは、行列４０２内の、その対応するビデオコンテンツを同時に再生するボタン４０３、４０４、４０５などを見る。一実施形態において、ユーザは、ボタン４０３を２度選択して、ボタン４０３に対応する番組コンテンツを再生する。一実施形態において、ディスプレイページ４００は、番組フィード２１９から受信された利用可能な放送中の番組コンテンツをボタン４０３、４０４、４０５などに提示するよう構成される。一実施形態において、利用可能な放送中の番組コンテンツを提示するディスプレイページ４００は、マルチメディア制御システム１０７またはテレビ１１０に表示される。一実施形態において、ユーザは、マルチメディア制御システム１０７のボタン４０３を２度選択して、ボタン４０３に対応する放送中の番組コンテンツをテレビ１１０に表示する。一実施形態において、保存されたまたは放送中の番組コンテンツを同時に再生しているボタン４０３、４０４、４０５などは、番組コンテンツを低解像度で表示する。
【００７３】
一実施形態において、行列４０２は、複数のボタン４０３，４０４、４０５などを表示する。一実施形態において、ユーザは、ボタン４１５および４１６を選択して、スクロールアップまたはスクロールダウンし、これによりユーザがその他の利用可能な番組コンテンツを見ることができる。一実施形態において、ユーザは、ボタン４１５および４１６を選択して、現在再生されていない番組コンテンツに対応するテンキーボタンをスクロールアップまたはスクロールダウンする。一実施形態において、ユーザは、ボタン４１７および４１８を選択して、例えばテンキーボタンを左右にスクロールする。
【００７４】
一実施形態において、ディスプレイページ４００は、図５に示すように、ユーザがお気に入りチャンネルリストを構築することができるようにするボタン４０６を含む。一実施形態において、ユーザがボタン４０６を選択することにより、図５に示すように、新しいディスプレイページが現れ、この新しいディスプレイページはユーザにお気に入りチャンネルリストを構築するオプションを与える。
【００７５】
一実施形態において、ディスプレイページ４００は、ユーザが遠隔地の他のユーザまたは個人に番組コンテンツを推薦することができるようにするボタン４０７を含む。一実施形態において、ユーザＡはユーザにより選択された番組コンテンツに対応するボタン４０６に１度タッチし、その後ユーザはボタン４０７にタッチして、ダイアローグボックス（不図示）を表示させる。一実施形態において、ダイアローグボックスは記録システム１０１のその他のユーザの名前を表示し、これにより、リストから名前を選択することにより、ユーザＡが他のユーザに選択された番組コンテンツを推薦することができるようにする。一実施形態において、ダイアローグボックスは、遠隔地のユーザおよびその他の個人のリストを表示する。一実施形態において、ユーザＡのユーザＢに対する推薦は記録システム１０１により受信されて、ユーザＢを指定する電子メールボックスに保存される。一実施形態において、ユーザＡの遠隔地の個人Ｃに対する推薦は、電子メールメッセージが記録システムから通信ネットワークを介して個人Ｃに送信されるようにする。
【００７６】
一実施形態において、ディスプレイページ４００は、記憶媒体２１２内に、ユーザの電子メールボックスにユーザがアクセスできるようにするボタン４０８を含む。一実施形態において、ユーザは、他のユーザから、番組コンテンツ視聴の推薦を受信する。一実施形態において、ユーザがボタン４０８を選択するとダイアローグボックスが現れ、ダイアローグボックスは他のユーザより提供された推薦をリストする。一実施形態において、ユーザは、番組コンテンツを再生する推薦を選択する。一実施形態において、ユーザは、推薦の削除を選択する。
【００７７】
一実施形態において、ディスプレイページ４００は、ユーザが所望の番組コンテンツのウォッチリストを生成することができるようにするボタン４０９を含む。一実施形態において、ユーザがボタン４０９を選択するとダイアローグボックスが現れ、ダイアローグボックスはユーザが所望の番組コンテンツの名前を入力できるようにする。一実施形態において、記録システム１０１は、この情報をマルチメディア制御システム１０７から受信し、この情報を記憶媒体２１２に保存する。一実施形態において、記録システム１０１は、記憶媒体２１２に保存された番組のタイトルとウォッチリストに入力されたタイトルとを比較する。この比較は、記録システム１０１が番組を上書き記録または削除しようとするときに完了する。一実施形態において、記録システム１０１は、番組のタイトルがウォッチリストのタイトルに一致するとき、ユーザの電子メールボックスにメッセージを送信する。一実施形態において、記録システムは、番組のタイトルがウォッチリストのタイトルの１つに一致しないとき、番組を削除または上書き記録する。
【００７８】
一実施形態において、ディスプレイページ４００は、ユーザが特定の番組の短いセグメントをみることができるようにするボタン４１０を含む。ユーザは、図８Ａおよび図８Ｂに示すように、ボタン４０３にタッチして所望の番組コンテンツを選択し、その後ボタン４１０をタッチして記録システム１０１にコマンドを送信する。
【００７９】
一実施形態において、ディスプレイページ４００は、ユーザが特定の番組を削除できるようにするボタン４１１を含む。ユーザは、ユーザが望まない番組コンテンツに対応するボタン４０３にタッチして、ダイアローグボックスを表示させることができる。ダイアローグボックスは、選択された番組の削除の確認をユーザに促す。一実施形態において、ユーザが削除を確認すると、マルチメディア制御システム１０７から記録システム１０１に信号が送信される。信号は、記録システム１０１に、選択された番組を記憶媒体２１２から削除または選択された番組に記憶媒体２１２からの削除タグをつけるようにさせる。
【００８０】
一実施形態において、記録システム１０１は、記録システムが保存された番組コンテンツの指示された部分にコマーシャルのタグをつけるように、コマーシャルが現在流れていることをユーザが記録システム１０１に通知することができるよう構成される。一実施形態において、マルチメディア制御システム１０７は、ユーザが番組の一部を早送りし、この部分をコマーシャルとしてマークすることができるよう構成される「コマーシャルの早送り」ボタン４１３を含む。一実施形態において、ユーザは、コマーシャルが始まると「コマーシャルの早送り」ボタン４１３を押したままにし、コマーシャルが終わるとボタンを離す。一実施形態において、記録システムは、記録システム１０１が番組コンテンツの部分にコマーシャルのタグをつけるように、記録システム１０１が番組コンテンツを記録している間にユーザが「コマーシャルの早送り」ボタン４１３を選択できるよう構成される。一実施形態において、記録システム１０１は、ユーザが同時にリアルタイムで同じ番組コンテンツを見ている場合に、ユーザが「コマーシャルの早送り」ボタン４１３を押している間、特定の番組コンテンツの記録を停止するよう構成される。一実施形態において、記録システム１０１は、コマーシャルとしてマークされた番組コンテンツの部分を自動的に削除するよう構成される。
【００８１】
図５は、ユーザが利用可能なチャンネル５０３のリストからお気に入りチャンネルリスト５０２を構築できるようにするディスプレイページ５００の一実施形態を示す図である。ユーザは、利用可能なチャンネルリスト５０３からチャンネルを選択しハイライトして、その後追加ボタン５０４を選択してお気に入りチャンネルリスト５０２を構築する。ユーザは、お気に入りチャンネルリスト５０２からチャンネルを選択し、その後削除ボタン５０６を選択してお気に入りチャンネルリスト５０２からチャンネルを削除することができる。ユーザは、保存ボタンを選択してユーザのお気に入りチャンネルリスト５０２を記憶媒体２１２に保存することができる。一実施形態において、ダイアローグボックス５０１がディスプレイページ５００に現れて、ユーザが２次的なお気に入りチャンネルリストを構築することができるようにする。ユーザは、ボタン５０７を選択して、記録システム１０１が自動的にユーザのお気に入りチャンネルリスト５０２を構築するようにさせることができる。記録システム１０１は、ユーザが見るチャンネルを（記憶媒体２１２に）記録し、その後記録システム１０１は頻繁に見られるチャンネルを選択することにより自動的にユーザのお気に入りチャンネルリスト５０２を構築する。
【００８２】
一実施形態において、ディスプレイページ５００は、ユーザがカテゴリーごとにお気に入りチャンネルリストを構築することができるようにするボタン５０８を含む。ユーザがボタン５０８にタッチすると、ダイアローグボックスが現れて、ユーザに例えば最新のニュースチャンネルまたはスポーツチャンネルなどのカテゴリーの選択を促す。一実施形態において、ユーザは、例えば野球のシーズンやバスケットボールのシーズンなどの季節を選択することにより、お気に入りチャンネルリストを構築することができる。一実施形態において、記録システム１０１は、図９に示すように、ユーザの選択したカテゴリー情報をリモートサーバから通信ネットワークを介して取り込む。記録システム１０１は、カテゴリー情報を処理してユーザのお気に入りチャンネルリスト５０２を構築する。
【００８３】
図６は、様々な利用可能なお気に入りチャンネルリスト６０５および６０６をリストするディスプレイページ６０１の一実施形態を示す図である。一実施形態において、ユーザは、ボタン６０２を選択して、お気に入りチャンネルリスト６０５にリストされたチャンネルを連続的かつ同時に記録するよう記録システム１０１を登録する。ユーザは、ボタン６０３を押して、一定の期間にお気に入りチャンネルリスト６０５にリストされたチャンネルを記録するよう記録システム１０１を登録する。ボックス６０３の選択によりダイアローグボックス６０４をポップアップさせ、ユーザがお気に入りチャンネルリスト６０５にリストされているチャンネルを同時に記録するための開始時間および終了時間を入力できるようにする。
【００８４】
図７は、ユーザにアップセルチャンネル推薦を提供するディスプレイページ７０１の一実施形態を示す図である。一実施形態において、アップセルチャンネル推薦は、特定のチャンネルをユーザのお気に入りチャンネルリスト５０２に追加することについて、ユーザに報酬を与える。一実施形態において、ボタン７０３の選択により、ユーザはアップセルチャンネル推薦を受け付けることができるようになり、ダイアローグボックス７０２をポップアップさせてユーザのお気に入りチャンネルリスト７０４内にチャンネルの更新リストをユーザに示す。一実施形態において、ユーザは、このチャンネル追加を受け付る、またはチャンネル追加をキャンセルすることを選択する。
【００８５】
図８Ａは、記録システム内にユーザ用のハイライト番組セグメントを構築する一実施形態のフロー図である。一実施形態において、記録システム１０１は、ステップ８０１で、番組フィード２１９から番組コンテンツを記録し保存する。一実施形態において、記録システム１０１は、ステップ８０２でコンテンツが保存されたあと記録されたコンテンツを見る。一実施形態において、記録システム１０１は、ステップ８０２を指定の時間にバッチモードで行う。記録システム１０１は、記録システム１０１が番組コンテンツを記憶媒体２１２に保存した後でステップ８０２を行う。一実施形態において、記録システム１０１は、記録システム１０１が閾値音量レベルを超える音量レベルを検出したとき、ステップ８０４で記録システム１０１は番組コンテンツのその部分にタグをつけるように、番組コンテンツ中の音量レベルを検出する。一実施形態において、記録システムは、マルチメディア制御システム１０７が記録システム１０１に番組コンテンツのハイライトセグメントを再生するよう信号を送ると、番組コンテンツのタグがついた部分を再生する。
【００８６】
図８Ｂは、マルチメディア制御システムを用いてユーザ用のハイライト番組セグメントを構築するための一実施形態のフロー図である。一実施形態において、記録システム１０１は、ステップ８２１で、番組フィード２１９から番組コンテンツを記録し保存する。一実施形態において、マルチメディア制御システム１０７は、ユーザが番組コンテンツのハイライトセグメントの再生を選択すると、ステップ８２２で、ユーザが選択した番組コンテンツの開始部分の再生を開始するよう記録システム１０１に信号を送る。一実施形態において、マルチメディア制御システム１０７は、ステップ８２３で、一定期間、例えば２０秒、待機する。一実施形態において、マルチメディア制御システム１０７は、ステップ８２４で、記録システムに番組コンテンツの再生を停止するよう信号を送る。
【００８７】
一実施形態において、記録システム１０１は、マルチメディア制御システム１０７から信号を受信して、番組コンテンツのハイライトセグメントを再生する。記録システム１０１は、短時間、例えば最初の２０秒間、選択された番組コンテンツを再生し、その後番組コンテンツの再生を停止する。
【００８８】
図９は、インターネットなどの通信ネットワーク９０３を介してリモートサーバ９０１に接続するマルチチャンネル並列デジタルビデオ記録システム１０１の一実施形態を示す図である。一実施形態において、リモートサーバ９０１は、コマーシャルの開始時間および終了時間に関する情報を保存するデータベース９０４を含む。一実施形態において、リモートサーバ９０１は、世界各地の都市の気象状況に関する情報を保存するデータベース９０５を含む。一実施形態において、リモートサーバ９０１は、番組配給業者が放送する各種番組のタイトルおよび説明に関する情報を保存するデータベース９０６を含む。
【００８９】
一実施形態において、オフィスビルなどの中央位置９１６に位置する個人９０８は、テレビ９０７およびラジオ９１１の特定のチャンネルを視聴し、コンピュータ９０９にそのチャンネルで流れるコマーシャルの開始時間および終了時間を入力する。コンピュータ９０９に入力されるデータは、ローカルエリアネットワーク９１０を介してリモートサーバ９０１に接続されることにより、コマーシャル情報データベース９０４に保存される。一実施形態において、遠隔地の個人９１４は、テレビ９１３およびラジオ９１２を視聴し、コンピュータ９１５にそのチャンネルで流れるコマーシャルの開始時間および終了時間を入力する。コンピュータ９１５に入力されるデータは、通信ネットワーク９０３を介してリモートサーバ９０１に送信され、コマーシャル情報データベース９０４に保存される。個人９０８および９１４は、タイトルおよび説明、日付、ならびに開始時間および終了時間情報をタイトルおよび説明情報データベース９０６に入力することができる。リモートサーバ９０１は、通信ネットワーク９０３から、気象情報サービス会社９１７からの世界各地の都市の気象情報を受信し、リモートサーバ９０１はこの気象情報を気象情報データベース９０５に保存する。記録システム１０１は、リモートサーバ９０１に配されたカテゴリー情報データベース９１８からカテゴリー情報を取り込む。
【００９０】
一実施形態において、記録システム１０１は、マルチメディア制御システム１０７の「コマーシャルの早送り」ボタン４１３を押し続けることにより、ユーザから得たコマーシャルタグ情報をリモートサーバ９０１に送信するよう構成される。記録システム１０１は、コマーシャル情報データベース９０４に保存するためにコマーシャルタグ情報をリモートサーバ９０１へ通信ネットワーク９０３を介して送信する。一実施形態において、リモートサーバ９０１は、通信ネットワーク９０３上の複数のユーザから複数のコマーシャルタグ情報を受信するよう構成される。リモートサーバ９０１は、異常が排除されるよう、複数のユーザから受信したコマーシャルタグ情報を平均化するよう構成されてもよい。リモートサーバ９０１は、複数のユーザから受信したコマーシャルタグ情報のうち、他のユーザから受信した他の情報に似ていない情報を削除するよう構成されてもよい。また、リモートサーバ９０１は、コマーシャルの開始時間および終了時間情報を判断するため複数のユーザから受信した複数のコマーシャルタグ情報にアルゴリズムを適用するよう構成されてもよい。
【００９１】
一実施形態において、リモートサーバ９０１は、コマーシャル情報をコマーシャル情報供給団体９１９から通信ネットワーク９０３を介して受信し、この情報をコマーシャル情報データベース９０４に保存する。一実施形態において、リモートサーバ９０１は、コマーシャル情報データベース９０４に保存されたコマーシャル情報を記録システム１０１および／またはマルチメディア制御システム１０７に送信するよう構成される。
【００９２】
一実施形態において、リモートサーバ９０１は、例えば、番組タイトル、説明、番組開始時間、番組終了時間、番組開示日時などの番組情報を、記録システム１０１および／またはマルチメディア制御システム１０７に送信するよう構成される。記録システム１０１は、コマーシャル情報および／またはタイトルおよび説明、日時、ならびに開始時間および終了時間データ情報を用いて、記録システム１０１に保存された番組コンテンツを関連付ける。一実施形態において、マルチメディア制御システム１０７は、コマーシャル情報および／またはタイトルおよび説明、日付、ならびに開始時間および終了時間データ情報を用いて、記録システム１０１に保存された番組コンテンツを関連付ける。記録システム１０１は、コマーシャル情報および／またはタイトルおよび説明、日付、ならびに開始時間および終了時間データ情報を用いて、記録システム１０１に保存された番組コンテンツの開始時点および終了時点を判断してもよい。一実施形態において、マルチメディア制御システム１０７は、記録システム１０１に保存された番組コンテンツの開始時点および終了時点に、コマーシャル情報および／またはタイトルおよび説明、日付、ならびに開始時間および終了時間データ情報を用いる。番組情報を用いることにより、記録システム１０１は、例えば、コマーシャルのスキップ、番組の始めにジャンプ、次の番組にジャンプ、番組の終わりにジャンプ、などの、各種のユーザ機能を備えることができる。記録システム１０１は、ディスプレイスクリーン１０７と接続して、番組編成情報を用いて、ユーザが保存された番組のリスト（または行列）を見て保存された所望の番組を名称やジャンルなどで選択することができるようにしてもよい。ユーザは、また、ディスプレイスクリーン１０７を用いて、削除する番組、セーブする番組などを選択してもよい。一実施形態において、ユーザは、ディスプレイスクリーン１０７上の番組を選択し、選択された番組を特定のフォルダにまたはユーザが指定する見出しで保存するよう指示してもよい。
【００９３】
以上、様々な実施形態を説明してきたが、その他の実施形態も当業者の技術の範囲内となる。したがって、本発明は、以下の特許請求項によってのみ限定されるものである。
【図面の簡単な説明】
【００９４】
【図１】マルチメディア娯楽システム及びマルチメディア制御システムと接続して用いる複数チャンネル並列式デジタル・ビデオ記録システムを示す。
【図１Ｂ】複数チャンネル並列式デジタル・ビデオ記録システムの１つの実施形態を示す。
【図２】複数チャンネル並列式デジタル・ビデオ記録システムのブロック図を示す。
【図３Ａ】記憶媒体の１つの実施形態を示すブロック図であり、ここでは、記録システムは、システムが記憶媒体の最後まで来ると記録媒体の最初から記録を開始する。
【図３Ｂ】記憶媒体の１つの実施形態を示すブロック図であり、ここでは、記録システムは、その時削除される番組コンテンツを記録する、又は削除対象としてマークされて保存されている番組コンテンツに上書き記録する、従って記憶媒体に保存されていた番組のいくらかは残される。
【図４】保存された番組コンテンツのリストを表示するディスプレースクリーンの１つの実施形態を示す。ここで、マルチメディア制御システムは記録システムから保存された番組コンテンツ情報を受信する。
【図５】ユーザがお気に入りチャンネルリストの作成を行うためのディスプレースクリーンの１つの実施形態を示す。又、更に、ユーザが別のお気に入りチャンネルリストの作成を行うためのダイアログ・ボックスの１つの実施形態を示す。
【図６】ユーザがそれぞれのお気に入りチャンネルリストを記録する時間を設定するためのダイアログ・ボックスと共に、お気に入りチャンネルリストとして利用可能な候補リストを表示するディスプレースクリーンの１つの実施形態を示す。
【図７】ユーザにユーザのお気に入りチャンネルリストに入っている最新のチャンネルリストを示すダイアログ・ボックスと共に、推薦するアップセルチャンネルを表示するディスプレースクリーンの１つの実施形態を示す。
【図８Ａ】記録システム内にユーザ用のハイライト番組セグメントを構築する１つの実施形態のフロー図である。
【図８Ｂ】マルチメディア制御システムを用いてユーザ用のハイライト番組セグメントを構築するための１つの実施形態のフロー図である。
【図９】記録システムが通信ネットワークを介してリモートサーバに接続される１つの実施形態を示す図である。図は、更に、それぞれのユーザがどのようにリモートサーバをプログラミングするかを示す。
【図１Ａ】
2009528720.tif 000003
【図１Ｂ】
2009528720.tif 000004
【図２】
2009528720.tif 000005
【図３Ａ】
2009528720.tif 000006
【図３Ｂ】
2009528720.tif 000007
【図４】
2009528720.tif 000008
【図５】
2009528720.tif 000009
【図６】
2009528720.tif 000010
【図７】
2009528720.tif 000011
【図８Ａ】
2009528720.tif 000012
【図８Ｂ】
2009528720.tif 000013
【図９】
2009528720.tif 000014